(57)【要約】【課題】  本発明は、発光素子と受光素子とを同一の筺体内に有するカフにおいて、発光素子からの照射光のうち、カフ内部で反射した内部反射光が受光素子で受光されることを防止できるカフを提供することを目的とする。【解決手段】  本発明のカフは、１の面が開放された筺体と、当該開放された１の面を密閉するように覆って、１の面の側に押圧面を形成する伸縮部材と、筺体に設けられた空気供給パイプと、筺体の内部から押圧面を通して筺体の外部に向けて出射する光を筺体の内部で発光する発光素子と、発光素子で発光し筺体の外部で散乱する散乱光を押圧面を通して筺体の内部で受光する受光素子と、発光素子の発光する光のうち、筺体と伸縮部材とで囲まれた内部での反射により、受光素子に向かう内部反射光の受光素子による受光を筺体と伸縮部材とで囲まれた前記内部で防止する受光防止手段と、を備えることを特徴とする。【選択図】図２
2006034697.tif 000002
【特許請求の範囲】
【請求項１】
１の面が開放された筺体と、
当該開放された１の面を密閉するように覆って、該１の面の側に押圧面を形成する伸縮部材と、
前記筺体に設けられた空気供給パイプと、
前記筺体の内部から前記押圧面を通して前記筺体の外部に向けて出射する光を前記筺体の内部で発光する発光素子と、
前記発光素子で発光し前記筺体の外部で散乱する散乱光を前記押圧面を通して前記筺体の内部で受光する受光素子と、
前記発光素子の発光する光のうち、前記筺体と前記伸縮部材とで囲まれた内部での反射により、前記受光素子に向かう内部反射光の前記受光素子による受光を前記筺体と前記伸縮部材とで囲まれた前記内部で防止する受光防止手段と、
を備えることを特徴とするカフ。
【請求項２】
前記受光防止手段が、前記押圧面と前記発光素子との間で前記内部反射光を散乱する散乱体であることを特徴とする請求項１に記載のカフ。
【請求項３】
前記受光防止手段が、前記押圧面と前記受光素子との間で前記内部反射光を散乱する散乱体であることを特徴とする請求項１に記載のカフ。
【請求項４】
前記受光防止手段が、前記押圧面と前記発光素子との間で前記内部反射光を散乱する白濁フィルムであることを特徴とする請求項１に記載のカフ。
【請求項５】
前記受光防止手段が、前記押圧面と前記受光素子との間で前記内部反射光を散乱する白濁フィルムであることを特徴とする請求項１に記載のカフ。
【請求項６】
前記受光防止手段が、前記押圧面の前記筺体の内部側の面上で前記内部反射光を散乱するつや消し面であることを特徴とする請求項１に記載のカフ。
【請求項７】
前記受光防止手段が、前記押圧面の前記筺体の内部側の面上で前記内部反射光を散乱するエンボス加工面であることを特徴とする請求項１に記載のカフ。
【請求項８】
前記受光防止手段は、前記内部反射光を前記押圧面の前記筺体の内部側の面上で前記内部反射光の反射を防止する反射防止フィルムであることを特徴とする請求項１に記載のカフ。
【請求項９】
前記受光防止手段は、前記内部反射光を前記押圧面の前記筺体の内部側の面上で前記内部反射光を散乱する白濁フィルムであることを特徴とする請求項１に記載のカフ。
【請求項１０】
前記受光防止手段は、前記内部反射光を前記押圧面の前記筺体の内部側の面上で前記内部反射光の反射を防止する無反射コーティングであることを特徴とする請求項１に記載のカフ。
【発明の詳細な説明】
【技術分野】
【０００１】
本発明は、血圧測定などにおいて使用される、生体の一部を押圧するカフに関する。
【背景技術】
【０００２】
従来、血圧測定などにおいては、長方形で平面状の空気袋を上腕部に巻きつけるように装着し、空気を供給して生体の動脈を押圧するカフが一般に使用されている（例えば、特許文献１参照。）。このようなカフにより生体を押圧する圧力を増加させる過程における生体内の動脈の脈波の変化を検出して、さらにカフが生体を押圧する圧力を減少させる過程における生体内の動脈の脈波の変化を検出し、カフによる生体の押圧力と動脈の脈波の変化から血圧を測定している。
【０００３】
ここで、カフにより動脈の脈波や血流を検出する方法としては、カフ内に備えた発光素子により生体へ照射した照射光が生体の動脈あるいは動脈内の血球により散乱した散乱光を、カフ内に備えた受光素子により受光し、散乱光から脈波や血流を検出する方法が開発されている（例えば、特許文献２参照。）。
【特許文献１】特許３５３１３８６号公報
【特許文献２】特開平９−１２２０８３号公報
【発明の開示】
【発明が解決しようとする課題】
【０００４】
しかし、上記の発光素子と受光素子による脈波や血流の検出方法は開発途上であり、実験結果が散見されるのみで、脈波の測定に適したカフは存在しないため、新たなカフの開発が待たれていた。
【０００５】
本発明者らは、カフ内に備えた発光素子により生体へ照射した照射光のうち生体の動脈あるいは動脈内の血球により散乱した散乱光を、カフ内に備えた受光素子により受光し、散乱光から脈波や血流等を検出するカフを開発する段階で、受光素子に多くの雑音光が加わったり、受光素子の後段に設けられた電気増幅器が飽和したりして正常に脈波や血流が測定できない現象があることを見出した。そして、多くの実験を重ねた結果、さらに、この現象は発光素子からの照射光がカフ内で反射して、受光素子で受光されることによるものであることを見出した。
【０００６】
カフ内での反射は、照射光を横切るように配置されるカフ面での一次反射、またカフ面に対向して略平行に配置される受発光素子の鏡面状表面における二次的な反射も影響していると考えられた。カフ内で反射した反射光が受光素子で受光されると、雑音となったり、受光素子の受光した光を電気信号に変換した後に増幅する増幅器を飽和させたりする原因となるものである。このため、脈波や血流の検出の妨害となっている。特に、前記カフは内部を加圧し、さらに減圧するために、前記カフの形状は大きく変化する。そのため、前記カフ内部における反射光の方向と反射光の量はさまざまに変化し、この反射光の量の変化が、前記脈波の検出に大きな妨害となっていた。
【０００７】
そこで、本発明は、生体の一部に光を照射する発光素子と、当該発光素子からの光のうち生体の一部で散乱した散乱光を受光する受光素子と、を備えるカフで、発光素子からの照射光のうちカフ内で反射する内部反射光が受光素子で受光されることを防止できるカフを提供することを目的とする。
【課題を解決するための手段】
【０００８】
上記目的を達成するために、本発明のカフは発光素子の照射光のうちカフ内部で反射した反射光が受光素子に受光されないように、カフ内部に受光防止手段を設けることとした。
【０００９】
具体的には、本発明は、１の面が開放された筺体と、当該開放された１の面を密閉するように覆って、該１の面の側に押圧面を形成する伸縮部材と、前記筺体に設けられた空気供給パイプと、前記筺体の内部から前記押圧面を通して前記筺体の外部に向けて出射する光を前記筺体の内部で発光する発光素子と、前記発光素子で発光し前記筺体の外部で散乱する散乱光を前記押圧面を通して前記筺体の内部で受光する受光素子と、前記発光素子の発光する光のうち、前記筺体と前記伸縮部材とで囲まれた内部での反射により、前記受光素子に向かう内部反射光の前記受光素子による受光を前記筺体と前記伸縮部材とで囲まれた前記内部で防止する受光防止手段と、を備えることを特徴とするカフである。
【００１０】
上記のように、前記発光素子からの光のうち、前記筺体と前記伸縮部材とで囲まれた前記カフ内部で反射する内部反射光が前記受光素子で受光されることを防止する受光防止手段をカフ内部に備えることによって、前記発光素子が前記押圧面を通して前記生体へ向けて照射した照射光のうち前記生体へ到達する前に前記押圧面で反射する内部反射光が、前記受光素子に受光され、雑音となるのを防止できる。従って、前記受光素子は前記発光素子が前記生体へ照射した照射光のうち生体により散乱した前記散乱光を高精度に受光し、前記生体の動脈の脈波、あるいは血液の流速または血流量などを高精度に測定できるので、例えば、血圧を高精度に測定できる。
【００１１】
また、本発明のカフでは、前記受光防止手段が、前記押圧面と前記発光素子との間で前記内部反射光を散乱する散乱体であることが望ましい。
【００１２】
受光防止手段として散乱体を適用し、さらにこの散乱体を発光素子と伸縮部材との間に設けることで、発光素子が発光する光のうちカフ内部で反射する内部反射光を予め散乱体により散乱させることができるため、受光素子に受光され雑音となりうる内部反射光の量を減少させ、受光素子の内部反射光の受光を防止することができる。従って、前記受光素子は前記発光素子が前記生体へ照射した照射光のうち生体により散乱した前記散乱光を高精度に受光し、前記生体の動脈の脈波、あるいは血液の流速または血流量などを高精度に測定できるので、例えば、血圧を高精度に測定できる。
【００１３】
また、本発明のカフでは、前記受光防止手段が、前記押圧面と前記受光素子との間で前記内部反射光を散乱する散乱体であることが望ましい。
【００１４】
受光防止手段として散乱体を適用し、さらにこの散乱体を受光素子と伸縮部材との間に設けることで、発光素子が発光する光のうちカフ内部で反射して受光素子に受光される内部反射光が確実に散乱体に当たって散乱するため、受光素子が受光する内部反射光の量を減少させ、受光素子の内部反射光の受光を防止することができる。従って、前記受光素子は前記発光素子が前記生体へ照射した照射光のうち生体により散乱した前記散乱光を高精度に受光し、前記生体の動脈の脈波、あるいは血液の流速または血流量などを高精度に測定できるので、例えば、血圧を高精度に測定できる。
【００１５】
また、本発明のカフでは、前記受光防止手段が、前記押圧面と前記発光素子との間で前記内部反射光を散乱する白濁フィルムであることが望ましい。
【００１６】
また、本発明のカフでは、前記受光防止手段が、前記押圧面と前記受光素子との間で前記内部反射光を散乱する白濁フィルムであることが望ましい。
【００１７】
受光防止手段として白濁フィルムを適用し、さらにこの白濁フィルムを発光素子と伸縮部材との間又は受光素子と伸縮部材との間に設けることで、発光素子が生体へ照射した照射光のうち押圧面の内部側の面上で反射した内部反射光を散乱して、受光素子の内部反射光の受光を防止することができる効果を有することに加え、白濁フィルムを極薄くすることにより、カフのコンパクト化を図ることができる。
【００１８】
また、本発明のカフでは、前記受光防止手段が、前記押圧面の前記筺体の内部側の面上で前記内部反射光を散乱するつや消し面であることが望ましい。
【００１９】
受光防止手段としてつや消し面を適用することで、発光素子が生体へ照射した照射光のうち押圧面の内部側の面上で反射した内部反射光を散乱して、受光素子の内部反射光の受光を防止することができる効果を有することに加え、押圧面のうち筺体の内部側の面上につや消し処理するため、つや消し領域を任意に設定することができる。そのため、発光素子の発光する照射光のうち押圧面の内側の面で反射して受光素子へ向かう内部反射光の量が多い場所を押圧面の内側の面上で特定してつや消し処理することができる。そのため、受光素子の内部反射光の受光を効率よく防止することができる。さらに、押圧面の内側の面上をつや消し面とすることにより、受光防止のための具体的な物をカフ内部に配置することがないため、カフのコンパクト化を図れる。
【００２０】
また、本発明のカフでは、前記受光防止手段が、前記押圧面の前記筺体の内部側の面上で前記内部反射光を散乱するエンボス加工面であることが望ましい。
【００２１】
受光防止手段としてエンボス加工面を適用することで、発光素子が生体へ照射した照射光のうち押圧面の内部側の面上で反射した内部反射光を散乱して、受光素子の内部反射光の受光を防止することができる効果を有することに加え、押圧面のうち筺体の内部側の面上をエンボス加工することにより押圧面の内部側の面上を任意の形状とすることができる。そのため、発光素子の発光する照射光のうち押圧面の内側の面上で反射して受光素子へ向かう内部反射光の向きを調節することができる。そのため、受光素子の内部反射光の受光を効率よく防止することができる。さらに、押圧面の内側の面上にエンボス加工したエンボス加工面とすることにより、受光防止のための具体的な物をカフ内部に配置することがないため、カフのコンパクト化を図れる。
【００２２】
また、本発明のカフでは、前記受光防止手段は、前記内部反射光を前記押圧面の前記筺体の内部側の面上で前記内部反射光の反射を防止する反射防止フィルムであることが望ましい。
【００２３】
受光防止手段として反射防止フィルムを適用することで、発光素子が生体へ照射した照射光のうち押圧面の内部側の面上で反射する内部反射光の反射を防止して、受光素子の内部反射光の受光を防止することができる効果を有することに加え、押圧面のうち筺体の内部側の面上に反射防止フィルムを貼付する領域を任意に設定することができる。そのため、発光素子の発光する照射光のうち押圧面の内側の面上で反射して受光素子へ向かう内部反射光の量が多い場所を押圧面の内側の面上で特定して反射防止フィルムを貼付することができる。そのため、内部反射光を効率よく受光防止することができる。また、反射防止フィルムは、内部反射光を極めて減少させることができるため、受光素子の内部反射光の受光を効率的に防止することができる。また、反射防止フィルムを極薄くすることにより、カフのコンパクト化を図ることができる。また、反射防止フィルムと伸縮部材とを別々に製造するため、カフの生産効率がよい。
【００２４】
また、本発明のカフでは、前記受光防止手段は、前記内部反射光を前記押圧面の前記筺体の内部側の面上で前記内部反射光を散乱する白濁フィルムであることが望ましい。
【００２５】
受光防止手段として白濁フィルムを適用することで、発光素子が生体へ照射した照射光のうち押圧面の内部側の面上で反射した内部反射光を散乱して、受光素子の内部反射光の受光を防止することができる効果を有することに加え、押圧面のうち筺体の内部側の面上に白濁フィルムを貼付する領域を任意に設定することができる。そのため、発光素子の発光する照射光のうち押圧面の内側の面上で反射して受光素子へ向かう内部反射光の量が多い場所を押圧面の内側の面上で特定して白濁フィルムを貼付することができる。そのため、受光素子の内部反射光の受光を効率よく防止することができる。また、白濁フィルムを極薄くすることにより、カフのコンパクト化を図ることができる。また、白濁フィルムと伸縮部材とを別々に製造するため、カフの生産効率がよい。
【００２６】
また、本発明のカフでは、前記受光防止手段は、前記内部反射光を前記押圧面の前記筺体の内部側の面上で前記内部反射光の反射を防止する無反射コーティングであることが望ましい。
【００２７】
受光防止手段として無反射コーティングを適用することで、発光素子が生体へ照射した照射光のうち押圧面の内部側の面上で反射する内部反射光の反射を防止して、受光素子の内部反射光の受光を防止することができる効果を有することに加え、押圧面のうち筺体の内部側の面上に無反射コーティングするため、コーティング領域を任意に設定することができる。そのため、発光素子の発光する照射光のうち押圧面の内側の面上で反射して受光素子へ向かう内部反射光の量が多い場所を特定して無反射コーティングすることができる。そのため、内部反射光を効率よく反射防止することができる。また、無反射コーティング面は、内部反射光を極めて減少させることができるため、受光素子の内部反射光の受光を効率的に防止することができる。さらに、押圧面の内側の面上を無反射コーティング面とすることにより、受光防止のための具体的な物をカフ内部に配置することがないため、カフのコンパクト化を図れる。
【発明の効果】
【００２８】
本発明のカフによれば、生体への照射光のうち生体の動脈により散乱した散乱光を内部反射光に埋もれさせることなく高精度に受光させることができるため、生体の動脈の脈波、あるいは血液の流速または血流量などを高精度に測定することを可能とする。例えば、血圧等の生体情報の高精度な測定を可能とするカフを提供することができる。
【発明を実施するための最良の形態】
【００２９】
添付の図面を参照して本発明の実施の形態を説明する。以下に説明する実施の形態は本発明の構成の例であり、本発明は、以下の実施の形態に制限されるものではない。
【００３０】
最初に、本実施の形態のカフの基本的な構成と動作を説明する。図１は、本実施の形態のカフの基本構成を示す概略構成切断面図である。図１に示すカフ１１は、１の面が開放された筺体１２と、当該開放された１の面を密閉するように覆って、該１の面の側に押圧面１４を形成する伸縮部材１３と、筺体１２に設けられた空気供給パイプ１６と、筺体１２の内部から押圧面１４を通して筺体１２の外部に向けて出射する照射光２２を筺体１２の内部で発光する発光素子２１と、発光素子２１で発光し筺体１２の外部で散乱する散乱光２４を押圧面１４を通して筺体１２の内部で受光する受光素子２３と、を備えている。
【００３１】
なお、図１、および以下に説明する図においては、発光素子２１の駆動回路、受光素子２３の信号を増幅する増幅器など通常の技術により実現できる部分は表示していない。
【００３２】
ここで、筐体１２は伸縮部材１３を保持する機能を有する。また、空気供給パイプ１６は筐体１２の内部へ空気を供給する機能を有し、さらに供給した空気を排気する機能を有することもある。
【００３３】
伸縮部材１３は、筺体１２の開放された１の面を密閉するように覆っており、空気供給パイプ１６を除いて、筐体１２と伸縮部材１３とで囲まれたカフ１１内部の気密性を維持する。また、伸縮部材１３は、開放された１の面の側に押圧面１４を形成する。この押圧面１４は、伸縮部材１３と筺体１２との間に設けられた側部１５によって支えられており、伸縮部材１３と筐体１２に囲まれたカフ１１内部に供給された空気の圧力によりせり出して、外側の面で生体１に接して生体１を押圧する機能を有する。
【００３４】
発光素子２１は、筐体１２内に設置され、押圧面１４が押圧する前記生体１へ向かって照射光２２を照射する機能を有する。受光素子２３は、筐体１２内に設置され、発光素子２１が前記生体１へ向けて照射した照射光２２のうち、生体１により散乱した散乱光２４を受光する機能を有する。
【００３５】
Ｏリング１７は、側部１５を筺体１２の外周壁に固定して側部１５と筐体１２の間の気密性を保持する機能を有する。
本実施の形態では、伸縮部材１３の側部１５と筐体１２の間の気密性をＯリングで保っているが、Ｏリングに限らず伸縮部材１３の側部１５と筐体１２の間の気密性を維持できるものであればいずれのものであってもよい。
【００３６】
本実施の形態のカフ１１の基本動作を、本実施の形態のカフ１１を血圧測定装置に適用する場合を例にして説明する。まず、カフ１１内部へ空気供給パイプ１６により空気を供給し、押圧面１４を外側の面で接する前記生体１へ向かってせり出させる。そして、せり出した押圧面１４が前記生体１を押圧し、前記生体１の動脈の血流が停止して動脈の脈波が消失した状態で、カフ１１内部の空気を空気供給パイプ１６を通じて排気し、押圧面１４の前記生体１を押圧する圧力を減少させる。
【００３７】
上記のように、押圧面１４の前記生体１を押圧する圧力を増加させ、その後、減少させる過程において、発光素子２１によって押圧面１４が押圧する前記生体１へ向かって照射光２２を照射する。そして、照射光２２のうち前記生体１の動脈により散乱した散乱光２４を受光素子２３に受光させ、受光素子２３が受光した散乱光２４から前記生体１の動脈の脈波の変化を検出する。上記のように検出された動脈の脈波の変化とカフ１１内部の圧力から、血圧を測定することができる。
【００３８】
なお、ここでは、押圧面１４の前記生体１を押圧する圧力を増加させ、その後、減少させる過程で説明したが、押圧面１４の前記生体１を押圧する圧力が減少した状態から生体１を押圧する圧力を増加させる過程であってもよい。
【００３９】
ここで、照射光２２の殆どは伸縮部材１３を透過して生体１内に到達するが、一部の光は伸縮部材１３において受光素子２３の方向に反射して内部反射光２５となる。図１では、点線矢印が内部反射光２５を示している（なお、図２以下の図面においても同じとする。）。またこの内部反射光２５によって発光素子２１あるいは受光素子２３の表面と伸縮部材１３との間で多重反射光が引き起こされ、あるいは別の不規則な反射経路により迷光となることが予測される。これらの不要光強度は生体からの散乱による散乱光２４の信号強度に比べて大きいため、生体１で散乱した散乱光２４の強度変化が不要光強度に埋もれてしまい、血圧測定に悪影響を及ぼす。そのため、不要光強度を全体として減少させる必要がある。
【００４０】
そこで、本実施の形態のカフでは、発光素子２１の発光する光のうち、筺体１２と伸縮部材１３とで囲まれたカフ１１内部での反射により、受光素子２３に向かう内部反射光２５の受光素子２３による受光をカフ１１内部で防止する受光防止手段を設けた。以下に、本発明のカフの実施の形態について説明する。
【００４１】
本実施の形態のカフは、図１に示す、筐体１２と、伸縮部材１３と、空気供給パイプ１６と、発光素子２１と、受光素子２３と、を備えたカフ１１に、発光素子２１の発光する光のうち、筺体１２と伸縮部材１３とで囲まれたカフ１１内部での反射により、受光素子２３に向かう内部反射光２５の受光素子２３による受光をカフ１１内部で防止する受光防止手段をさらに設けた。
【００４２】
ここで、本実施の形態のカフについて、添付の図２〜１０を参照して説明する。図２に本実施の形態に係るカフの概略構成切断面図を示す。図２は、図１に示すカフ１１に受光防止手段として散乱体５０を設けた構成を示した図である。また、図２において、本実施の形態のカフ３０の押圧面１４は生体１に接している状態を示している。
【００４３】
図３〜図１０は、本発明のカフの別の実施の形態を示した概略構成断面図を示しており、受光防止手段に関して図２に示すカフ３０の別形態をそれぞれ示している。なお、図２〜図１０に示す筺体１２、空気供給パイプ１６、伸縮部材１３、発光素子２１、受光素子２３、Ｏリング１７は、図１において説明したものと同様である。また、図２〜図１０に示すカフの動作も、図１において説明したカフ１１と同様である。そのため、図２〜図１０に示すカフについては、これらの説明を省略する。
【００４４】
図２に示すカフ３０は、伸縮部材１３の押圧面１４と発光素子２１との間に受光防止手段としての散乱体５０を設けた形態である。図２では、受光防止手段として発光素子２１を覆う形状の散乱体５０を適用した例を示している。
【００４５】
受光防止手段としての散乱体５０は発光素子２１が照射する照射光２２を散乱する機能を有する。例えば、散乱体５０として、全体がすりガラスのように表面に凹凸を有する半透明のものや、表面に凹凸を有する誘電体を照射光２２を遮るように配置したものを適用することができる。
【００４６】
本実施の形態のカフ３０では、伸縮部材１３の押圧面１４と発光素子２１との間に、受光防止手段としての散乱体５０を設けることにより、発光素子２１からの照射光２２は、伸縮部材１３の押圧面１４と発光素子２１との間で散乱した後で押圧面１４を通して生体１へ照射されることとなる。一方、照射光２２のうち押圧面１４で反射する内部反射光２５を予め散乱体５０により散乱させることができるため、受光素子２３に受光され雑音となりうる内部反射光２５の量を減少させ、受光素子２３の内部反射光２５の受光を防止することができる。従って、発光素子２１が生体１へ照射した照射光２２のうち生体１により散乱した散乱光２４を内部反射光２５に埋もれさせずに受光素子２３に受光させることができる。
【００４７】
さらに、図２では、発光素子２１を覆う形状の散乱体５０を適用した例を示しているが、散乱体５０により発光素子２１を覆うことで、発光素子２１から出射される光が漏れなく散乱体５０で散乱するため、内部反射光２５の散乱効果が高い。その結果、本実施形態に係るカフ３０では、生体１の動脈の脈波、あるいは血液の流速または血流量などを高精度に測定できる。例えば、血圧を高精度に測定できるカフを提供することができる。
【００４８】
なお、散乱体５０による散乱によって照射光２２の全体の光量も減少する場合もあるが、散乱光２４の強度変化量は、受光素子２３が検出するのに十分な大きさを確保できる。
【００４９】
また、散乱体５０は、受光素子２３の受光する光を受光素子２３に対して遮るように設けることもできる。図３に、受光防止手段としての散乱体５０を伸縮部材１３の押圧面１４と受光素子２３との間に設けたカフの実施の形態を示す。図３では、受光素子２３を覆う形状の散乱体５０を適用した例を示している。
【００５０】
図３に示す散乱体５０は、図２で説明した散乱体５０と同様のもので、受光素子２３が受光する光を散乱させる機能を有する。
【００５１】
本実施の形態のカフ３１では、伸縮部材１３の押圧面１４と受光素子２３との間で受光素子２３の受光する光を遮るように、受光防止手段としての散乱体５０を設けることにより、前記押圧面１４の内側で反射する内部反射光２５のうち受光素子２３が受光する内部反射光２５が確実に散乱体５０に当たって散乱するため、受光素子２３が受光する内部反射光２５の量を減少させ、受光素子２３の内部反射光２５の受光を防止することができる。従って、照射光２２のうち生体１により散乱した散乱光２４を内部反射光２５に埋もれさせずに受光素子２３に受光させることができる。
【００５２】
さらに、図３では、受光素子２３を覆う形状の散乱体５０を適用した例を示しているが、散乱体５０により受光素子２３を覆うことで、受光素子２３に入射する光が漏れなく散乱するため、内部反射光２５の散乱効果が高い。その結果、本実施形態に係るカフ３１では、生体の動脈の脈波、あるいは血液の流速または血流量などの高精度な測定を可能とする。例えば、血圧の高精度な測定を可能とするカフを提供することができる。
【００５３】
なお、散乱体５０による散乱によって散乱光２４の全体の光量も減少する場合もあるが、散乱光２４の強度変化量は、受光素子２３が検出するのに十分な大きさを確保できる。
【００５４】
また、散乱体５０は、照射光２２を発光素子２１に対して遮るように、且つ受光素子２３が受光する光を受光素子２３に対して遮るように設けてもよい。図４に、受光防止手段としての散乱体５０を伸縮部材１３の押圧面１４と受光素子２３との間に設けたカフの実施の形態を示す。図４では、受光防止手段としての散乱体５０を発光素子２１と受光素子２３とを覆うように設けたカフの実施の形態を示している。
【００５５】
図４に示す散乱体５０は、図２で説明した散乱体５０と同様のもので、発光素子２１の発光する照射光２２及び受光素子２３が受光する光を散乱する機能を有する。
【００５６】
本実施の形態のカフ３２では、伸縮部材１３の押圧面１４と発光素子２１との間に受光防止手段としての散乱体５０を設けることにより、発光素子２１からの照射光２２は、伸縮部材１３の押圧面１４と発光素子２１との間で散乱した後で押圧面１４を通して生体１へ照射されることとなる。一方、照射光２２のうち押圧面１４で反射する内部反射光２５を予め散乱体５０により散乱させることができるため、受光素子２３に受光され雑音となりうる内部反射光２５の量を減少させることができる。また、カフ３２は、伸縮部材１３の押圧面１４と受光素子２３との間に受光防止手段としての散乱体５０を設けることにより、押圧面１４の内側で反射する内部反射光２５のうち受光素子２３に受光される内部反射光２５が散乱体５０に当たって確実に散乱するため、受光素子２３により受光される内部反射光２５の量をさらに減少させ、受光素子２３の内部反射光２５の受光を防止することができる。従って、発光素子２１が生体１へ照射した照射光２２のうち生体１により散乱した散乱光２４を内部反射光２５に埋もれさせずに受光素子２３に受光させることができる。
【００５７】
さらに、図４では、発光素子２１及び受光素子２３を覆う形状の散乱体５０を適用した例を示しているが、散乱体５０により発光素子２１及び受光素子２３を覆うことで、発光素子２１から出射する光及び受光素子２３が受光する光が漏れなく散乱するため、内部反射光２５の散乱効果が高い。その結果、生体１の動脈の脈波、あるいは血液の流速または血流量などの高精度な測定を可能とする。例えば、血圧を高精度に測定できるカフを提供することができる。
【００５８】
なお、散乱体５０による散乱によって照射光２２及び散乱光２４の全体の光量も減少する場合もあるが、散乱光２４の強度変化量は、受光素子２３が検出するのに十分な大きさを確保することができる。
【００５９】
なお、図２、図３、図４では、散乱体５０は、発光素子２１又は受光素子２３を覆う形状の散乱体を適用しているが、照射光２２を発光素子２１に対して遮ることができ又は受光素子２３の受光する光を受光素子２３に対して遮ることができる散乱体であれば、得られる効果は、図２、図３、図４に示す散乱体５０と同様であるため、いずれのものであってもよい。
【００６０】
また、本実施の別の形態のカフでは、図２、図３、図４に示すカフの受光防止手段としての散乱体５０に換えて白濁フィルムを設けることができる。図５、図６、図７に、本発明のカフの別の実施の形態を示した概略構成切断面図を示す。
【００６１】
図５は、押圧面１４と発光素子２１との間に受光防止手段としての白濁フィルム５１を設けた形態で、発光素子２１の発光する光が出射される面上に白濁フィルム５１を貼り付けた形態を示している。
【００６２】
図６は、押圧面１４と受光素子２３との間に受光防止手段としての白濁フィルム５１を設けた形態で、受光素子２３の受光する光が入射する面上に白濁フィルム５１を貼り付けた形態を示している。
【００６３】
図７は、押圧面１４と発光素子２１との間及び押圧面１４と受光素子２３との間に受光防止手段としての白濁フィルム５１を設けた形態で、発光素子２１の発光する光が出射される面上及び受光素子２３の受光する光が入射する面上に白濁フィルム５１を貼り付けた形態を示している。  
【００６４】
図５、図６、図７に示す受光防止手段としての白濁フィルム５１は、発光素子２１が照射する照射光２２又は受光素子２３が受光する光を散乱する機能を有する。白濁フィルム５１として、例えば、ポリエステルフィルムを適用することができる。
【００６５】
図５に示すカフ３３では、白濁フィルム５１により得られる効果は、図２で説明したカフ３０の散乱体５０により得られる効果と同様である。即ち、本実施の形態のカフ３３は、伸縮部材１３の押圧面１４と発光素子２１との間に、受光防止手段としての白濁フィルム５１を設けることにより、発光素子２１が生体１へ照射した照射光２２のうち押圧面１４の内部側の面上で反射する内部反射光２５を散乱して受光素子２３の内部反射光２５の受光を防止することができる効果を有する。
【００６６】
さらに、図５では、白濁フィルム５１を発光素子２１の発光する光が出射する面に貼り付けた形態を示しているが、白濁フィルム５１を図５に示すように貼り付けることで、発光素子２１の極近傍で光を散乱できるため、白濁フィルム５１の貼付面積を小さくすることができる。そして、発光素子２１の発光する光を小さい面積で効率よく散乱させることができる。また、白濁フィルム５１は、極薄くすることにより、カフ３３のコンパクト化を図ることもできる。
【００６７】
なお、白濁フィルム５１による散乱によって照射光２２の全体の光量も減少する場合もあるが、散乱光２４の強度変化量は、受光素子２３が検出するのに十分な大きさを確保することができる。
【００６８】
また、図６に示すカフ３４では、白濁フィルム５１により得られる効果は、図３で説明したカフ３１の散乱体５０により得られる効果と同様である。即ち、本実施の形態のカフ３４は、発光素子２１が生体１へ照射した照射光２２のうち押圧面１４の内部側の面上で反射した内部反射光２５を受光素子２３の近傍で散乱して受光素子２３の内部反射光２５の受光を防止することができる効果を有する。
【００６９】
さらにカフ３４では、白濁フィルム５１を受光素子２３の受光する光が入射する面に貼り付けた形態を示しているが、白濁フィルム５１を図６に示すように貼り付けることで、受光素子２３の極近傍で光を散乱できるため、白濁フィルム５１の貼付面積を小さくすることができる。そして、受光素子２３の受光する光を小さい面積で効率よく散乱させることができる。また、白濁フィルム５１は、極薄くすることにより、カフ３４のコンパクト化を図ることもできる。
【００７０】
なお、白濁フィルム５１による散乱によって散乱光２４の全体の光量も減少する場合もあるが、散乱光２４の強度変化量は、受光素子２３が検出するのに十分な大きさを確保することができる。
【００７１】
また、図７に示すカフ３５では、白濁フィルム５１により得られる効果は、図４で説明したカフ３２の散乱体５０により得られる効果と同様である。即ち、発光素子２１が生体１へ照射した照射光２２を散乱し、さらに照射光２２のうち押圧面１４の内部側の面上で反射した内部反射光２５を発光素子２１及び受光素子２３の近傍で散乱して受光素子２３の内部反射光２５の受光を防止することができる効果を有する。
【００７２】
さらに、カフ３５は、白濁フィルム５１を発光素子２１の発光する光が出射する面及び受光素子２３の受光する光が入射する面に貼り付けた形態を示しているが、白濁フィルム５１を図７に示すように貼り付けることで、発光素子２１及び受光素子２３の極近傍で光を散乱できるため、白濁フィルム５１の貼付面積を小さくすることができ、発光素子２１の発光する光及び受光素子２３の受光する光を小さい面積で効率よく散乱させることができる。また、白濁フィルム５１は、極薄くすることにより、カフ３５のコンパクト化を図ることもできる。
【００７３】
なお、白濁フィルム５１による散乱によって照射光２２及び散乱光２４の全体の光量も減少する場合もあるが、散乱光２４の強度変化量は、受光素子２３が検出するのに十分な大きさを確保することができる。  
【００７４】
なお、図５、図６、図７では、白濁フィルム５１は、発光素子２１の発光する光が出射する面上又は受光素子２３の受光する光が入射する面上に貼り付ける形状の白濁フィルムを適用しているが、照射光２２を発光素子２１に対して遮ることができ又は受光素子２３の受光する光を受光素子２３に対して遮ることができる白濁フィルムであれば、得られる効果は、図５、図６、図７に示す白濁フィルムと同様であるため、いずれのものであってもよい。
【００７５】
また、本実施の別の形態のカフでは、受光防止手段としてのつや消し面を図１に示すカフ１１の押圧面１４の筺体１２の内部側の面上に施すこともできる。図８に、受光防止手段としてのつや消し面５２を押圧面１４の筺体１２の内部側の面上で発光素子２１に対向する位置に施したカフの実施の形態を示す。
【００７６】
受光防止手段としてのつや消し面５２は発光素子２１が照射する照射光２２を散乱する機能を有する。例えば、つや消し面５２は伸縮部材１３を作製する際に、押圧面１４の内部側の面上をつや消し処理された金型を押し当てて成型することができる。また、つや消し塗料を塗布することとしてもよい。
【００７７】
本実施の形態のカフ３６では、押圧面１４の内部側の面上をつや消し処理したつや消し面５２とすることにより、発光素子２１からの照射光２２は、伸縮部材１３の押圧面１４の内部側の面上で散乱した後で押圧面１４を通して生体１へ照射されることとなる。一方、発光素子２１が生体１へ照射した照射光２２のうち押圧面１４により反射する内部反射光２５の方向を予めつや消し面５２により散乱させることができるので、受光素子２３に受光され雑音となりうる内部反射光２５の量を減少させ、受光素子２３の内部反射光２５の受光を防止することができる。従って、発光素子２１が生体１へ照射した照射光２２のうち生体１により散乱した散乱光２４を内部反射光２５に埋もれさせずに受光素子２３に受光させることができる。
【００７８】
さらに、押圧面１４のうち筺体１２の内部側につや消し処理するため、つや消し領域を任意に設定することができる。そのため、発光素子２１の発光する照射光２２のうち図８に示すつや消し面５２の位置で反射して受光素子２３へ向かう内部反射光２５の量が多い場所を押圧面１４の内側の面上で特定してつや消し処理することができる。そのため、受光素子２３の内部反射光２５の受光を効率よく防止することができる。その結果、本実施形態に係るカフ３６では、生体１の動脈の脈波、あるいは血液の流速または血流量などを高精度に測定できる。例えば、血圧を高精度に測定できるカフを提供することができる。さらに、押圧面１４の内側の面上をつや消し面５２とすることにより、受光防止のための具体的な物をカフ３６内部に配置することがないため、カフ３６のコンパクト化を図れる。
【００７９】
なお、つや消し面５２による散乱によって照射光２２の全体の光量も減少する場合もあるが、散乱光２４の強度変化量は、受光素子２３が検出するのに十分な大きさを確保することができる。  
【００８０】
また、つや消し面５２は、受光素子２３の受光する光を受光素子２３に対して遮るように押圧面１４の筺体１２の内部側の面上に施すこともできる。図９に、受光防止手段としてつや消し面５２を伸縮部材１３の押圧面１４の筺体１２の内部側の面上で受光素子２３に対向する位置に施したカフの実施の形態を示す。
【００８１】
図９に示すつや消し面５２は、図８で説明したつや消し面５２と同様のもので、押圧面１４の筺体１２の内部側の面上で受光素子２３に対向する位置に設けている。そして、受光素子２３が受光する光を散乱する機能を有する。
【００８２】
本実施の形態のカフ３７では、押圧面１４の筺体１２の内部側の面上で受光素子２３に対向する位置に受光防止手段としてのつや消し面５２を施すことにより、前記押圧面１４で反射した内部反射光２５のうち受光素子２３が受光する内部反射光２５が確実につや消し面５２に当たって散乱するため、受光素子２３により受光される内部反射光２５の量を減少させ、受光素子２３の内部反射光２５の受光を防止することができる。従って、照射光２２のうち生体１により散乱した散乱光２４を内部反射光２５に埋もれさせずに受光素子２３に受光させることができる。
【００８３】
さらに、押圧面１４のうち筺体１２の内部側につや消し処理するため、つや消し領域を任意に設定することができる。そのため、発光素子２１の照射する照射光２２のうち図９に示すつや消し面５２の位置で反射して受光素子２３へ向かう内部反射光２５の量が多い場所を押圧面１４の内側の面上で特定してつや消し処理することができる。そのため、受光素子２３の内部反射光２５の受光を効率よく防止することができる。その結果、本実施形態に係るカフ３７では、生体１の動脈の脈波、あるいは血液の流速または血流量などの高精度な測定を可能とする。例えば、血圧の高精度な測定を可能とするカフを提供することができる。さらに、押圧面１４の内側の面上をつや消し面５２とすることにより、受光防止のための具体的な物をカフ３７内部に配置することがないため、カフ３７のコンパクト化を図れる。
【００８４】
なお、つや消し面５２による散乱によって散乱光２４の全体の光量も減少する場合もあるが、散乱光２４の強度変化量は、受光素子２３が検出するのに十分な大きさを確保することができる。  
【００８５】
また、つや消し面５２は、照射光２２を発光素子２１に対して遮るように、且つ受光素子の受光する光を受光素子２３に対して遮るように押圧面１４の筺体１２の内部側の面上に施してもよい。図１０に、受光防止手段としてつや消し面５２を伸縮部材１３の押圧面１４の筺体１２の内部側の面上で発光素子２１及び受光素子２３に対向する位置に施したカフの実施の形態を示す。
【００８６】
図１０に示すつや消し面５２は、図８で説明したつや消し面５２と同様のもので、押圧面１４の筺体１２の内部側の面上で発光素子２１及び受光素子２３に対向する位置に設けている。そして、発光素子２１の発光する照射光２２及び受光素子２３が受光する光を散乱する機能を有する。
【００８７】
本実施の形態のカフ３８では、押圧面１４の筺体１２の内部側の面上に、照射光２２を発光素子２１に対して遮るように受光防止手段としてのつや消し面５２を設けることにより、発光素子２１からの照射光２２は、伸縮部材１３の押圧面１４の内部側の面上で散乱した後で押圧面１４を通して生体１へ照射されることとなる。一方、照射光２２のうち押圧面１４で反射する内部反射光２５は、予めつや消し面５２により散乱するため、受光素子２３に受光され雑音となりうる内部反射光２５の量を減少させることができる。また、カフ３８は、伸縮部材１３の押圧面１４の筺体１２の内部側の面上に受光防止手段としてのつや消し面５２を設けることにより、発光素子２１が生体１へ向けて照射した照射光２２のうち前記押圧面１４で反射する内部反射光２５がつや消し面５２に当たって散乱するため、受光素子２３により受光される内部反射光２５をさらに減少させ、受光素子２３の内部反射光２５の受光を防止することができる。
【００８８】
さらに、カフ３８では、押圧面１４のうち筺体１２の内部側の面上をつや消し処理するため、つや消し領域を任意に設定することができる。そのため、発光素子２１の発光する照射光２２のうち図１０に示すつや消し面５２の位置で反射して受光素子２３へ向かう内部反射光２５の量が多い場所を押圧面１４の内側の面上で特定してつや消し処理することができる。そのため、受光素子２３の内部反射光２５の受光を効率よく防止することができる。その結果、生体１の動脈の脈波、あるいは血液の流速または血流量などの高精度な測定を可能とする。例えば、血圧の高精度な測定を可能とするカフを提供することができる。さらに、押圧面１４の内側の面上をつや消し面５２とすることにより、受光防止のための具体的な物をカフ３８内部に配置することがないため、カフ３８のコンパクト化を図れる。
【００８９】
なお、つや消し面５２による散乱によって照射光２２及び散乱光２４の全体の光量も減少する場合もあるが、散乱光２４の強度変化量は、受光素子２３が検出するのに十分な大きさを確保することができる。
【００９０】
また、本実施の別の形態のカフでは、図８、図９、図１０に示すカフにおいて、受光防止手段としてのつや消し面５２に換えて、エンボス加工面５２を押圧面１４の筺体１２の内部側の面上に施すこともできる。
【００９１】
図８、図９、図１０に示すエンボス加工されたエンボス加工面５２は、押圧面１４の筺体１２の内部側の面上に施しており、発光素子２１が生体１へ照射する照射光２２のうち押圧面１４の内側の面上で反射する内部反射光２５の方向を散乱させる機能を有する。このエンボス加工面５２は、伸縮部材１３を作製する際に、押圧面１４の内部側をエンボス加工して成型することができる。なお、エンボス加工とは、型と型との間に被加工物を置き、被加工物を型に押し付けることで、被加工物の表面に凹凸を形成する加工をいう。
【００９２】
図８に示す本実施の形態のカフ３６は、図８においてエンボス加工面５２の代わりにつや消し面とした場合に得られる効果と同様である。また、図９に示す本実施の形態のカフ３７は、図９においてエンボス加工面５２の代わりにつや消し面とした場合に得られる効果と同様である。図１０に示す本実施の形態のカフ３８は、図１０においてエンボス加工面５２の代わりにつや消し面とした場合に得られる効果と同様である。即ち、図８、図９、図１０に示すカフ３６、３７、３８は、発光素子２１が生体１へ照射した照射光２２のうち押圧面１４の内部側の面上のエンボス加工面５２で反射する内部反射光２５を散乱して受光素子２３の内部反射光２５の受光を防止することができる効果を有する。
【００９３】
さらに、図８、図９、図１０に示すカフ３６、３７、３８では、押圧面１４のうち筺体１２の内部側の面上をエンボス加工することにより押圧面１４の内部側の面上を任意の形状とすることができる。そのため、発光素子２１の発光する照射光２２のうち図８、図９、図１０に示すエンボス加工面５２のそれぞれの位置で反射して受光素子２３へ向かう内部反射光２５の向きを調節することができる。そのため、受光素子２３の内部反射光２５の受光を効率よく防止することができる。さらに、押圧面１４の内側の面上をエンボス加工したエンボス加工面５２とすることにより、受光防止のための具体的な物をカフ内部に配置することがないため、カフのコンパクト化を図れる。
【００９４】
また、本実施の別の形態のカフでは、図８、図９、図１０に示すカフにおいて、受光防止手段としてのつや消し面５２に換えて、反射防止フィルム５２を押圧面１４の筺体１２の内部側の面上に施すこともできる。
【００９５】
図８、図９、図１０に示す、受光防止手段としての反射防止フィルム５２は発光素子２１が照射する照射光２２が押圧面１４により反射される内部反射光２５の反射を防止する機能を有する。例えば、前記反射防止フィルム５２は誘電体薄膜を多層コートしたフィルムを適用することができる。
【００９６】
図８に示す本実施の形態のカフ３６は、図８において反射防止フィルム５２の代わりにつや消し面とした場合に得られる効果と同様である。また、図９に示す本実施の形態のカフ３７は、図９において反射防止フィルム５２の代わりにつや消し面とした場合に得られる効果と同様である。また、図１０に示す本実施の形態のカフ３８は、図１０において反射防止フィルム５２の代わりにつや消し面とした場合に得られる効果と同様である。即ち、図８、図９、図１０に示す、本実施の形態のカフ３６、３７、３８は、発光素子２１が生体１へ照射した照射光２２のうち押圧面１４の内部側の面上の反射防止フィルム５２で反射する内部反射光２５の反射を防止して受光素子２３の内部反射光２５の受光を防止することができる効果を有する。
【００９７】
さらに、図８、図９、図１０に示すカフ３６、３７、３８では、押圧面１４のうち筺体１２の内部側の面上に反射防止フィルム５２を貼付する領域を任意に設定することができる。そのため、発光素子２１の発光する照射光２２のうち図８、図９、図１０に示す反射防止フィルム５２のそれぞれの位置で反射して受光素子２３へ向かう内部反射光２５の量が多い場所を押圧面１４の内側の面上で特定して反射防止フィルム５２を貼付することができる。そのため、受光素子２３の内部反射光２５の受光を効率よく防止することができる。また、反射防止フィルム５２は、内部反射光２５を極めて減少させることができるため、効率的に受光防止することができる。また、反射防止フィルム５２を極薄くすることにより、カフのコンパクト化を図ることができる。また、反射防止フィルム５２と伸縮部材１３とを別々に製造するため、カフの生産効率がよい。
【００９８】
また、本実施の別の形態のカフでは、図８、図９、図１０に示すカフにおいて、受光防止手段としてのつや消し面５２に換えて、図５、図６、図７において説明した白濁フィルム５１を受光防止手段として、押圧面１４の筺体１２の内部側の面上に施すこともできる。
【００９９】
図８、図９、図１０に示す白濁フィルム５２は、図５、図６、図７において説明した白濁フィルム５１と同様のもので、発光素子２１が照射する照射光２２のうち押圧面１４により反射される内部反射光２５の方向を散乱させる機能を有する。
【０１００】
図８に示す本実施の形態のカフ３６は、図８において白濁フィルム５２の代わりにつや消し面とした場合に得られる効果と同様である。また、図９に示す本実施の形態のカフ３７は、図９において白濁フィルム５２の代わりにつや消し面とした場合に得られる効果と同様である。また、図１０に示す本実施の形態のカフ３８は、図１０において白濁フィルム５２の代わりにつや消し面とした場合に得られる効果と同様である。即ち、図８、図９、図１０に示すカフ３６、３７、３８は、発光素子２１が生体１へ照射した照射光２２のうち押圧面１４の内部側の面上の白濁フィルム５２で反射する内部反射光２５を散乱して受光素子２３の内部反射光２５の受光を防止することができる効果を有する。
【０１０１】
さらに、図８、図９、図１０に示すカフ３６、３７、３８では、押圧面１４のうち筺体１２の内部側の面上に白濁フィルム５２を貼付する領域を任意に設定することができる。そのため、発光素子２１の発光する照射光２２のうち図８、図９、図１０に示す白濁フィルム５２のそれぞれの位置で反射して受光素子２３へ向かう内部反射光２５の量が多い場所を押圧面１４の内側の面上で特定して白濁フィルム５２を貼付することができる。そのため、内部反射光２５を効率よく受光防止することができる。また、白濁フィルム５２を極薄くすることにより、カフのコンパクト化を図ることができる。また、白濁フィルム５２と伸縮部材１３とを別々に製造するため、カフの生産効率がよい。
【０１０２】
また、本実施の別の形態のカフでは、図８、図９、図１０に示すカフにおいて、受光防止手段としてのつや消し面５２に換えて、無反射コーティングを押圧面１４の筺体１２の内部側の面上に施した無反射コーティング面とすることもできる。
【０１０３】
図８、図９、図１０に示す受光防止手段としての前記無反射コーティング面５２は、発光素子２１が照射する照射光２２のうち押圧面１４により反射されるのを防止する機能を有する。無反射コーティング面５２として、例えば、伸縮部材１３を作製する際に、押圧面１４の内部側の面上に誘電体薄膜を多層コートして、干渉によって反射を防止するものを適用することができる。
【０１０４】
図８に示す本実施の形態のカフ３６は、図８において無反射コーティング面５２の代わりにつや消し面とした場合に得られる効果と同様である。また、図９に示す本実施の形態のカフ３７は、図９において無反射コーティング面５２の代わりにつや消し面とした場合に得られる効果と同様である。また、図１０に示す本実施の形態のカフ３８は、図１０において無反射コーティング面５２の代わりにつや消し面とした場合に得られる効果と同様である。即ち、図８、図９、図１０に示す、本実施の形態のカフ３６、３７、３８は、発光素子２１が生体１へ照射した照射光２２のうち押圧面１４の内部側の面上での無反射コーティング面５２で反射する内部反射光２５の反射を防止して受光素子２３の内部反射光２５の受光を防止することができる効果を有する。
【０１０５】
さらに、図８、図９、図１０に示すカフ３６、３７、３８では、押圧面１４のうち筺体１２の内部側の面上に無反射コーティングするため、コーティング領域を任意に設定することができる。そのため、発光素子２１の発光する照射光２２のうち図８、図９、図１０に示す無反射コーティング面５２の位置で反射して受光素子２３へ向かう内部反射光２５の量が多い場所を特定して無反射コーティングすることができる。そのため、内部反射光２５を効率よく反射防止することができる。また、無反射コーティング面５２は、内部反射光２５を極めて減少させることができるため、受光素子２３の内部反射光２５の受光を効率的に防止することができる。さらに、押圧面１４の内側の面上を無反射コーティング面５２とすることにより、受光防止のための具体的な物をカフ内部に配置することがないため、カフのコンパクト化を図れる。
【０１０６】
ここで、図１０に示すように、押圧面１４の内部側の面上に無反射コーティングを施した本実施の形態のカフ３８により、生体１の脈波を検出した例を図１１に示す。図１１において、左側の縦軸は脈波の振幅、右側の縦軸は押圧圧力の大きさを示し、横軸は時間を示す。図１１において、押圧圧力６１は、時刻Ｔ１付近で生体１の動脈の血流が停止するほどに高い押圧圧力となり、時間の経過とともに減少している状態を示している。一方、脈波４１は、押圧圧力６１が減少する過程において、前記動脈の血液が流れ始める状態の脈波Ａ４２が出現する。さらに押圧圧力６１が減少し、時刻Ｔ２付近で脈波４１の最大振幅となる脈波Ｂ４３が出現する。また、さらに押圧圧力６１が減少し、時刻Ｔ３付近で前記動脈の血流が定常状態となる脈波Ｃ４４となる。上記の脈波４１の変化とその変化が出現する時点の押圧圧力６１の値から、所定の方法により血圧値を測定することができる。
【０１０７】
次に、押圧面１４の内部側に無反射コーティングを施さないカフにより、生体の脈波を検出した例を図１２に示す。図１２の縦軸と横軸、および各部分の名称は図１１と同様である。図１２においては、前述の反射光の影響により、時刻Ｔ２付近で脈波４１の最大振幅となる脈波Ｂ４３が図１１に比べて大きく、さらに時刻Ｔ３付近で前記動脈の血流が定常状態となる脈波Ｃ４４が消失している。これは、時刻Ｔ３付近において押圧面１４からの強い内部反射光２５が受光素子２３に誘導されたため、受光素子２３が受光した光を電気信号に変換して、散乱光２４の光強度の変化量を検出できるほどに増幅したときに、電気増幅器が飽和したものと推定される。
【０１０８】
上記の図１０に示す本実施の形態のカフ３８による脈波の検出の実験結果は、本実施の形態のカフ３８の有効性を示している。
【産業上の利用可能性】
【０１０９】
本発明に係るカフは、健康や美容のための血圧測定、脈波測定、血流測定に利用することができる。
【図面の簡単な説明】
【０１１０】
【図１】本発明の実施の形態であるカフの基本構成を示す概略構成切断図である。
【図２】本発明の実施の形態であるカフの構成を示す概略構成切断図である。
【図３】本発明の実施の形態であるカフの構成を示す概略構成切断図である。
【図４】本発明の実施の形態であるカフの構成を示す概略構成切断図である。
【図５】本発明の実施の形態であるカフの構成を示す概略構成切断図である。
【図６】本発明の実施の形態であるカフの構成を示す概略構成切断図である。
【図７】本発明の実施の形態であるカフの構成を示す概略構成切断図である。
【図８】本発明の実施の形態であるカフの構成を示す概略構成切断図である。
【図９】本発明の実施の形態であるカフの構成を示す概略構成切断図である。
【図１０】本発明の実施の形態であるカフの構成を示す概略構成切断図である。
【図１１】本発明の実施の形態であるカフによる脈波の検出例の説明図である。
【図１２】本発明を適用しないカフによる脈波の検出例の説明図である。
【符号の説明】
【０１１１】
１  生体
１１、３０−３８  カフ
１２  筐体
１３  伸縮部材
１４  押圧面
１５  側部
１６  空気供給パイプ
１７  Ｏリング
２１  発光素子
２２  照射光
２３  受光素子
２４  散乱光
２５  内部反射光
４１  脈波
４２  脈波Ａ
４３  脈波Ｂ
４４  脈波Ｃ
５０  散乱体
５１  白濁フィルム
５２  つや消し面、エンボス加工面、反射防止フィルム、白濁フィルム、無反射コーティング面
６１  押圧圧力
【図１】
2006034697.tif 000003
【図２】
2006034697.tif 000004
【図３】
2006034697.tif 000005
【図４】
2006034697.tif 000006
【図５】
2006034697.tif 000007
【図６】
2006034697.tif 000008
【図７】
2006034697.tif 000009
【図８】
2006034697.tif 000010
【図９】
2006034697.tif 000011
【図１０】
2006034697.tif 000012
【図１１】
2006034697.tif 000013
【図１２】
2006034697.tif 000014